(57)【要約】【課題】きわめて簡単な原理を用いて患者の水分バランスを算出し、輸液ポンプを自動的に作動させて輸液を供給できる輸液供給システムを構成する。【解決手段】一の重量計測手段６によって、患者に供給するために貯溜した輸液の重量と、上記患者から排出された排液重量と、これら液体を貯溜する貯溜容器の重量の合計重量を検出し、この合計重量の変化が所定の範囲内となるように、輸液ポンプ５を制御して輸液を患者に供給する。【選択図】図１
2008110150.tif 000002
【特許請求の範囲】
【請求項１】
一の重量計測手段によって、患者に供給するために貯溜した輸液の重量と、上記患者から排出された排液の重量と、これら液体を貯溜する貯溜容器の重量の合計重量を一体的に検出し、
この合計重量の変化が所定の範囲内となるように、輸液ポンプを制御して輸液を患者に供給する輸液供給システム。
【請求項２】
上記合計重量が、少なくとも供給開始前の初期合計重量以上となるように、上記輸液を患者に供給する、請求項１に記載の輸液供給システム。
【請求項３】
患者に供給する輸液を貯溜する輸液貯溜容器と、
患者から排出される排液を貯溜する排液貯溜容器と、
上記輸液貯溜容器から患者に輸液を供給するポンプと、
上記輸液貯溜容器、上記排液貯溜容器及びこれら容器に貯溜される液体の合計重量を一体的に計測する重量計測手段と、
上記重量計測手段から出力される合計重量に基づいて上記ポンプの作動を制御する制御手段とを備えて構成される輸液供給装置によって行われる輸液供給システムであって、
初期における上記合計重量を計測する初期合計重量検出ステップと、
一定時間間隔ごとに上記合計重量を検出する合計重量検出ステップと、
所定時間内に、上記合計重量が上記初期合計重量から所定値以上増加したことを検出するポンプ作動開始条件検出ステップと、
上記合計重量の増加量に基づいて、供給輸液量及び／又は輸液供給速度を算出する輸液算出ステップと、
上記輸液算出ステップにおいて算出した値に基づいて上記ポンプの作動を制御することにより輸液を患者に供給する輸液供給ステップとを含む、輸液供給システム。
【請求項４】
上記ポンプの輸液吐出速度を、上記輸液算出ステップにおいて算出した値に基づいて制御する、請求項３に記載の輸液供給システム。
【請求項５】
患者に供給する輸液を貯溜する輸液貯溜容器と、
患者から排出される排液を貯溜する排液貯溜容器と、
上記輸液貯溜容器から患者に輸液を供給するポンプと、
上記輸液貯溜容器、上記排液貯溜容器及びこれら容器に貯溜される液体の合計重量を一体的に計測する重量計測手段と、
上記重量計測手段から出力される合計重量に基づいて上記ポンプの作動を制御する制御手段とを備える、輸液供給装置。
【請求項６】
上記制御手段は、
上記合計重量が、初期合計重量に対して所定の割合以下にならないように上記ポンプを制御して輸液を供給する、請求項５に記載の輸液供給装置。
【請求項７】
上記制御手段は、
所定重量以上の排液が上記排液貯溜手段に排出されてから、上記ポンプを作動して輸液供給を開始するように制御する、請求項５又は請求項６のいずれかに記載の輸液供給装置。
【請求項８】
上記重量計測手段は、一の電子天秤を備えて構成されているとともに、
上記輸液貯溜容器及び上記排液貯溜容器を、上記電子天秤の計量皿に載置して構成されている、請求項５から請求項７のいずれかに記載の輸液供給装置。
【請求項９】
上記重量計測手段は、一の電子天秤を備えて構成されているとともに、
上記輸液貯溜容器と、上記排液貯溜容器とを鉛直方向に配列保持して合計重量を計量できるように構成されている、請求項５から請求項７のいずれかに記載の輸液供給装置。
【請求項１０】
輸液量及び／又は輸液供給速度を、上記排液貯溜手段以外に排泄される液体量に基づいて設定する設定手段を備える、請求項５から請求項９のいずれかに記載の輸液供給装置。
【発明の詳細な説明】
【技術分野】
【０００１】
本願発明は、輸液供給システム及び輸液供給装置に関する。詳しくは、患者から排出される排液と患者に供給する輸液との合計重量に基づいて、上記輸液を患者に供給する輸液供給システムに関する。
【背景技術】
【０００２】
病院においては、静脈輸液回路、あるいは経管栄養チューブ等から患者に種々の水分が供給される。一方、尿等の患者からの排出液体は、バッグ状の排液貯溜容器に貯溜される。これら、排出液体と供給水分とは、患者の体調を管理するためにバランスさせる必要がある。
【０００３】
病院においては、所定時間ごとに看護師等が水分出納量をチェックし、補給水分の不均衡に注意しながら輸液の管理を行っている。この水分出納量のチェックは、医療従事者に多大な労力をかけている。特に、腎臓移植手術直後の患者では、排出尿量が不安定であり、１０ｍＬ／ｈ〜１０００ｍＬ／ｈにまで急激に変化することがある。このため、１時間ごとのチェックでは、患者に脱水症状が出る危険性もあり、水分の出納量を自動的によりきめ細かくチェックできるとともに、輸液を自動的に供給できる手法が望まれている。
【０００４】
【特許文献１】特表平１１−５１４５４３号公報
【０００５】
上記特許文献１に記載されている流体保持管理のためのシステムは、患者の流体保持または損失を測定するための方法であって、患者に導入される流体を秤量して流入量を出すステップと、患者から集めた流体を秤量した流出量を出すステップと、流入量と流出量との差を算出し、この差が患者の流体保持又は損失を表すステップとを含んで構成されている。
【発明の開示】
【発明が解決しようとする課題】
【０００６】
上記従来のシステムは、あくまで患者の流体保持量を計測して表示し、警報等を出すことを目的としたものであって、輸液ポンプを制御し自動的に水分等を供給するものではない。このため、看護師等は上記システムからの出力あるいは警報等にしたがって、輸液ポンプの操作をしなければならないことに変わりはない。さらに、看護師等は、上記システムの表示等にしたがって輸液を供給するのであるが、システムが複雑であるため装置に不慣れであると却って負担が増大し、ミスを誘発する恐れも考えられる。
【０００７】
また、上記システムにおいては、患者から排出される液体と、患者に供給される液体量を別個の計測装置によって計測し、これら計測値から水分の出納量を算出するように構成している。このため、装置が複雑になるばかりでなく、装置のコストが増加する。
【０００８】
さらに、輸液は通常樹脂製のバッグ等に収容されており、また、排液も類似のバッグに収容されることが多い。しかしながら、上記バッグの形態や重量はメーカ等によって異なるため、混在しての利用は不可能であるか、あるいはこれら相違を校正してシステムを制御する必要がある。このため、上記従来のシステムを利用するには、所定の容器を使用する必要があったり、装置を取り扱う者に熟練が要求される。
【０００９】
本願発明は、きわめて簡単な原理を用いて患者の水分バランスを算出し、輸液ポンプを自動的に作動させて輸液を供給できる輸液供給システムを構成することを課題としている。
【課題を解決するための手段】
【００１０】
本願の請求項１に記載した発明は、一の重量計測手段によって、患者に供給するために貯溜した輸液の重量と、上記患者から排出された排液重量と、これら液体を貯溜する貯溜容器の重量の合計重量を検出し、この合計重量の変化が所定の範囲内となるように、輸液ポンプを制御して輸液を患者に供給する輸液供給システムに関するものである。
【００１１】
患者から失われる水分の大部分は尿や血液等の液体として排出されるものと考えられる。したがって、上記輸液と排液の合計重量の変化が所定の範囲内となるように、上記輸液を患者に供給すれば、患者の水分の収支バランスが保たれる。
【００１２】
本願発明では、一の重量計測手段のみによって装置を構成できるため、装置の小型化が図れるばかりでなく、複数の重量計測装置間における計量値の校正等が不要となる。また、複数の計測装置の誤差等が累積される恐れもない。
【００１３】
また、貯溜容器を含む合計重量を計測し、この変化量に基づいて制御を行うため、貯溜容器の形態や容量等が異なっても、これらを校正する必要はない。このため、取り扱いが簡単になるばかりでなく、間違いが生じる恐れも小さくなる。
【００１４】
しかも、輸液装置の機器構成のみならず、制御システム、すなわちシステムを作動させるソフトウエア自体を単純化することが可能となり、信頼性もその分高まる。
【００１５】
さらに、輸液貯溜容器が空になった場合は、排液貯溜容器がほぼいっぱいになっている。したがって、輸液を補充交換する場合のデータの引継ぎ等も不要であるか、あるいは極めて簡単である。
【００１６】
本願の請求項２に記載した発明は、上記合計重量が、少なくとも供給開始前の初期合計重量以上となるように、上記輸液を患者に供給するように構成したものである。
【００１７】
すなわち、患者から排出された排液以上の重量の輸液を供給しないように構成したものである。これにより、輸液を過剰に供給することを防止できるため、安全性が極めて高い。また、合計重量を監視すればよいだけであるため、制御等も極めて簡単である。
【００１８】
請求項３に記載した発明は、上記請求項１に記載したシステムをより具体化したものであり、患者に供給する輸液を貯溜する輸液貯溜容器と、患者から排出される排液を貯溜する排液貯溜容器と、上記輸液貯溜容器から患者に輸液を供給するポンプと、上記輸液貯溜容器、上記排液貯溜容器及びこれら容器に貯溜される液体の合計重量を一体的に計測する重量計測手段と、上記重量計測手段から出力される合計重量に基づいて上記ポンプの作動を制御する制御手段とを備えて構成される輸液供給装置によって行われる輸液供給システムであって、初期における上記各容器及びこれらに貯溜される液体の合計重量を計測する初期合計重量検出ステップと、一定時間間隔ごとに上記合計重量を検出する合計重量検出ステップと、所定時間内に、上記合計重量が上記初期合計重量から所定値以上増加したことを検出するポンプ作動開始条件検出ステップと、上記合計重量の増加量に基づいて、供給輸液量を算出する輸液供給量算出ステップと、上記輸液供給量算出ステップにおいて算出した値に基づいて上記ポンプの作動を制御するすることにより輸液を患者に供給する輸液供給ステップとを含んで構成される。
【００１９】
上記輸液貯溜容器及び上記排液貯溜容器として、種々の容器を採用できる。たとえば、樹脂製袋状の輸液バッグ及び排液バッグを利用することができる。また、専用の容器を採用することもできる。また、本願発明では、上記各容器重量及びこれら容器に貯溜される液体の重量を一体として計測すればよいため、容器の形態や容量が制限されることはない。
【００２０】
上記ポンプとして、種々の輸液ポンプを採用できる。患者の水分収支の急激な変化に対応できるように、吐出速度を調節できる輸液ポンプを採用するのが好ましい。
【００２１】
上記重量計測手段は、上記輸液貯溜容器と上記排液貯溜容器とこれら容器に貯溜されている液体とを一体的に計測できるように構成されていればよい。したがって、上記各容器自体の重量を勘案して制御等する必要はなく、また、重量や形状の異なる容器を混在して使用することも可能となる。
【００２２】
上記重量計測手段として、電子天秤を採用することができる。電子天秤の種類は特に限定されることはないが、輸液貯溜容器と排液貯溜容器およびこれらに貯溜される液体の重量を一体的に計測できるように構成される。
【００２３】
一の電子天秤で上記輸液貯溜容器と上記排液貯溜容器の２つの対象物の重量を計測する場合、請求項８に記載した発明のように、上記輸液貯溜容器及び上記排液貯溜容器を、計量皿を有する電子天秤を用いて計測することができる。この場合、上記計量皿に対して、上記２つの貯溜容器の重量が偏って作用しないように構成するのが好ましい。
【００２４】
また、請求項９に記載した発明のように、上記重量計測手段を、一の電子天秤を備えて構成するとともに、上記輸液貯溜容器と、上記排液貯溜容器とを鉛直方向に配列保持して合計重量を計量できるように構成することができる。たとえば、鉛直方向に延びる計量杆を設け、この計量杆に上記輸液貯溜容器と上記排液貯溜容器とを鉛直方向に配列して掛止するように構成することができる。
【００２５】
上記制御手段は、上記重量計測手段からの出力を入力できる検出重量入力手段と、計測時間間隔等を規制するタイマーと、所定の制御情報を記憶できる記憶手段と、上記検出重量入力手段から入力された情報、上記記憶手段に記憶された情報及び上記タイマーから得られる時間情報等に基づいて演算を行うとともにポンプを作動させるか否かを判断する演算手段と、上記演算値に基づいてポンプを作動させるポンプ駆動出力手段とを備えて構成できる。
【００２６】
上記構成の輸液装置においては、まず、初期における上記各容器及びこれらに貯溜される液体の合計重量を計測する初期合計重量検出ステップが行われる。本願発明では、水分の収支は、上記初期合計重量を基準として、その増減に基づいて制御が行われる。
【００２７】
次に、所定時間間隔ごとに上記合計重量を検出する合計重量検出ステップが行われる。水分バランスの収支を精度高く計測するには、１〜５分ごとに上記合計重量を計測するのが好ましい。上記時間間隔は、必要に応じて変更できるように構成するのが好ましい。
【００２８】
上記ポンプ作動開始条件検出ステップは、上記所定時間間隔内で、上記合計重量が上記初期合計重量から所定以上の値増加したことを検出するものである。上記合計重量の増加は、水分収支において排液が輸液供給量を上回っていることを意味する。本願発明では、上記合計重量の増加量が所定の値以上になった場合に輸液の供給が開始される。輸液供給を開始する上記増加量は、患者等の状況に応じて変更できるように設定するのが好ましい。本願発明では、上記合計重量の初期重量に対する変化を監視すればよいため、装置の制御をきわめて容易に行うことができる。
【００２９】
上記輸液算出ステップは、上記貯溜液体の重量増加量に基づいて、供給輸液量及び／又は輸液供給速度を算出するステップである。所定時間間隔における上記合計重量の増加量が多い場合、輸液供給量や輸液供給速度をこれらに応じて増加させなければならない。また、上記輸液供給量及び上記輸液供給速度は、上記合計重量の増加量に基づいて決定すればよく、請求項６に記載した発明のように、上記合計重量が、初期合計重量に対して所定の割合以下にならないように上記ポンプを制御して輸液を供給することができる。
【００３０】
輸液供給ステップは、上記輸液供給量算出ステップにおいて算出した値に基づいて上記ポンプを作動制御することにより輸液を患者に供給するステップである。
【００３１】
一定速度で輸液を供給できるポンプを採用する場合は、供給時間を制御するように構成できる。一方、請求項４に記載した発明のように、上記ポンプの輸液吐出速度を、上記ポンプ作動開始条件検出ステップにおいて検出した合計重量の増加量に基づいて制御し、患者の水分バランスの急激な変化に対応できるように構成することもできる。
【００３２】
上記輸液供給量及び輸液供給速度は、一定時間間隔ごとに計測される上記合計重量に基づいて補正するように構成するのが望ましい。
【００３３】
さらに、請求項１０に記載した発明のように、輸液量及び／又は輸液供給速度を、上記排液貯溜手段以外に排泄される液体量に基づいて設定する設定手段を設けることができる。
【００３４】
たとえば、水分は尿や血液としてのみ排出されるものではなく、呼吸等の不感蒸泄や、汗、便等としても排出される。したがって、これらの排出液量を勘案して、輸液量及び／又は輸液供給速度を調節設定するのが好ましい。
【発明を実施するための最良の形態】
【００３５】
以下、本願発明の実施形態を図に基づいて具体的に説明する。
【００３６】
図１に本願発明に係る輸液供給装置の第１の実施の形態に係る概略構成図を示す。
【００３７】
図１に示すように、輸液供給装置１は、移動可能な台車２に設置されており、患者のベッドサイドで使用できるように構成されている。
【００３８】
上記輸液供給装置１は、患者に供給する輸液を貯溜する輸液貯溜容器３と、患者から排出される排液を貯溜する排液貯溜容器４と、上記輸液貯溜容器３から患者に輸液を供給するポンプ５と、上記輸液貯溜容器３と上記排液貯溜容器４とこれら容器に貯溜される液体の合計重量を一体的に計測できる重量計測手段６と、上記重量計測手段６から出力される貯溜液体の合計重量に基づいて上記ポンプ５の作動を制御する制御手段７とを備えて構成されている。
【００３９】
本実施の形態では、バッグ状の輸液貯溜容器３及び排液貯溜容器４が採用されており、上記ポンプ５から輸液貯溜容器３まで、容器交換用の配管８が設けられている。一方、上記排液貯溜容器４には、患者から延出する排液配管９が接続されている。上記配管８及び上記排液配管９の途中には、上記輸液貯溜容器３及び排液貯溜容器４を交換するための、接続バルブ１０，１１が設けられている。
【００４０】
上記重量計測手段６として、中央部分から計量杆１２が下方に延出する形態の電子天秤が採用されている。上記計量杆１２の下端部に自在継手１３を介して上記輸液貯溜容器３及び排液貯溜容器４を掛止できるフック１４，１５を設けた掛止杆１６が回動可能に連結されている。上記構成を採用することにより、バッグ状の容器を容易に装着及び交換できる。また、上記自在継手１３を設けることにより、上記容器３，４に収容される液体の重量の相違に起因するモーメント力が上記計量杆１２に作用しないように構成して、正確な重量を計測できるようにしている。
【００４１】
上記ポンプ５は、既知の輸液ポンプが採用されており、上記ポンプ５から図示しない患者まで輸液供給配管１８が設けられている
【００４２】
上記制御手段７は、図２に示すように、ＣＰＵを備えて構成される演算手段２０と、タイマー２１と、メモリを含む記憶手段２２と、上記ポンプ５を駆動するポンプ駆動手段２３と、排液等の異常を検出した場合に警告信号を出力して警報装置２７を作動させる警報出力手段２４と、上記重量計測手段６からの出力信号が入力される検出重量入力手段２５と、本装置以外から供給される輸液、本装置以外への排泄水分重量等を勘案して、輸液量の設定を行う設定手段２６を備えて構成されている。
【００４３】
上記制御手段７は、台車２の上面に設けられた操作盤２９から操作できるように構成されている。また、上記警報出力手段２４には、ブザー等の警報を発する警報装置２７が接続されている。
【００４４】
上記制御手段７、上記重量計測手段６、ポンプ５及び警報装置２７には、電源装置２８から電力が供給される。上記電源装置２８は、蓄電池等を備える無停電電源装置を採用するのが好ましい。
【００４５】
また、上記台車の上部に、始動スイッチ、上記制御手段等の初期設定等を行うための入力装置等を備える操作盤２９が設けられている。
【００４６】
以下、上記構成の輸液供給装置の作動を図３に基づいて説明する。
【００４７】
開始スイッチをＯＮすると（Ｓ１０１）、タイムフラッグ（Ｄ＝０）が立てられる（Ｓ１０２）。また、上記天秤６から上記輸液貯溜容器３、上記排液貯溜容器及びこれら貯溜容器に貯溜される液体の初期合計重量が、上記検出重量入力手段２５を介して制御手段７に入力される（Ｓ１０３）。
【００４８】
本実施の形態では３分ごとに上記合計重量が計測され、それにともなって上記Ｄの値が増加するように設定されている（Ｓ１０４／Ｓ１０５／Ｓ１０６）。
【００４９】
上記天秤によって計測される合計重量の増加量が３０グラム以下である場合は、輸液供給が開始されず、３分ごとにタイムフラッグＤの値が増加していく（Ｓ１０８でＮＯ）。上記状態で３０分経過した場合は（Ｓ１０７でＹＥＳ）、上記タイムフラッグをリセットし（Ｓ１０９）、排液量が所定の下限警報値以下である場合には（Ｓ１１０でＹＥＳ）、排液が過少である警告を発する（Ｓ１１１）。そして、再度上記ステップが繰り返される。
【００５０】
上記３分ごとの計測値において、合計重量の増加量（すなわち排液量）が３０グラムを越えた場合に（Ｓ１０８でＹＥＳ）、輸液の供給を開始する。この場合、まず、上記排液量が所定の上限警報値を越えた場合に（Ｓ２０１でＹＥＳ）、排液過多警報を発する（Ｓ２０２）。
【００５１】
上記輸液の供給に際して、上記タイムフラッグをリセットし（Ｓ２０３）、上記合計重量（排液重量）に基づいて、輸液の供給速度が演算装置によって算出される（Ｓ２０４）。本実施の形態の場合、上記設定手段２６によって設定される上記排液量と同重量あるいは所定の割合を乗じた若干少なめの輸液量に対応する輸液供給速度とするように設定される。なお、上記輸液供給速度は、３分間に患者に供給可能な輸液供給量に基づいて設定することができ、ポンプを０〜８００ＭＬ／Ｈの範囲で設定できるように構成されている。
【００５２】
上記輸液の供給量は、上記ポンプ駆動手段２３を解してポンプ５に設けられた流量制御器に転送設定され（Ｓ２０５）、上記ポンプ５が駆動させられる（Ｓ２０６）。上記ポンプ５は上記流量制御器によって規定される供給速度で輸液を吐出する。
【００５３】
上記合計重量の計測は３分ごとに行われ、タイムフラッグＤが増加していく（Ｓ２０７／Ｓ２０８／Ｓ２０９）。上記ルーチンは、３０分間は継続して行われる（Ｓ２１０でＮＯ）。この間、もし上記排液量（合計重量の初期値からの変化）が所定の上限警報値を越えた場合には（Ｓ２１１でＹＥＳ）、排液過多警報が発せられる（Ｓ２１２）。
【００５４】
３０分を経過した時点で（Ｓ２１０でＹＥＳ）、上記タイムフラッグがリセットされるとともに（Ｓ２１３）、排液量が所定の下限警報値以下である場合（Ｓ２１４でＹＥＳ）は、排液量過少警報が発せられる（Ｓ２１５）。そして、輸液供給量を算出するステップに戻り上記ルーチンが繰り返される。なお、輸液が無くなった場合あるいは残量が少なくなった場合には（Ｓ２１６でＹＥＳ）、ポンプあるいは上記輸液供給配管途中等に設けられたセンサー等を用いて輸液不足警報が発せられる（Ｓ２１７）。
【００５５】
なお、上記ステップＳ２０４からのルーチンにおいて、上記輸液供給速度は、上記初期合計重量からの変化に基づいて設定される。したがって、合計重量の変化がマイナスの場合は、算出される供給輸液量は０となるため、ポンプは実質的に停止状態となって輸液は供給されない。従って、輸液が過剰に供給されることはなく、安全性が確保される。
【００５６】
なお、本願発明では、原則として排液のあったことを確認してから輸液を供給するように構成している。すなわち、上記合計重量は、増減が繰り返される。したがって、合計重量が増加あるいは減少のみの傾向が継続することは、装置が故障等している可能性がある。したがって、上記合計重量の増減を監視して、異常がある場合に警報出力を発するように構成するのが好ましい。
【００５７】
上述したように、本願発明に係る輸液供給装置においては、上記輸液貯溜容器３と、上記排液貯溜容器４とこれら容器に貯溜される液体の合計重量の変化のみに基づいて、輸液の供給が制御される。このため、上記重量計測手段６の天秤が一つでよく、装置の製造コストを大幅に低減させることができる。
【００５８】
しかも、一つの制御量によって輸液の供給制御が行われるため、制御システムを非常に簡単に構成できる。また、複数の計測手段等を設けた場合に比べて信頼性も高い。
【００５９】
さらに、上記容器の重量や容量等を校正することなく、システムを稼働させることができる。このため、看護師等の負担が少なくなり、ミスの発生を防止することもできる。
【００６０】
図４に本願発明の第２の実施の形態を、図５に第３の実施の形態を示す。
【００６１】
本願発明では、輸液貯溜容器と排液貯溜容器とこれらに貯溜される液体の合計重量をいかに正確に計測するかが重要である。
【００６２】
図４に示す第２の実施の形態に係る輸液供給装置２０１では、重量計測手段２０６として上皿電子天秤を用い、天秤の上部に、輸液貯溜容器２０３と、排液貯溜容器２０４とを保持できる寸法の保持皿２３１を設け、この保持皿２３１に上記輸液貯溜容器２０３と、排液貯溜容器２０４とを積層して保持させている。これにより、２つの貯溜容器及びこれらに収容される液体の合計重量を精度高く計測することができる。
【００６３】
図５に示す第３の実施の形態では、図１に示す第１の実施の形態と同様に、重量計測手段３０６として、計量杆３１２が下方に延出する天秤を採用し、この計量杆２１２に自在継手３１３を介して２段の貯溜容器保持皿３３１，３３２を備える連結部材３３４を連結して構成している。各貯溜容器保持皿３３１，３３２に輸液貯溜容器３０３及び３０４が収容されており、これにより、これら貯溜容器の合計重量を正確に計測することができる。
【００６４】
本願発明は、上述した実施の形態に限定されることはない。実施の形態では、３分ごとに上記貯溜容器の合計重量を計測したが、計測間隔は上記の値に限定されることはない。また、３０分経過後に、フラッグをリセットしたが、この時間間隔も限定されることはなく、必要に応じて変更することができる。
【００６５】
また、本願発明は、点滴等の体液を補給する輸液装置に適用できるばかりでなく、血液透析装置における、除水補液を行うために用いることもできる。
【００６６】
さらに、実際に供給した輸液の量を検出するために、ポンプの作動時間及び吐出量を記憶させて、表示等できるように構成することができる。
【００６７】
さらに、実施の形態では、ポンプの輸液供給速度を、合計重量に応じて設定するように構成したが、一定の輸液供給速度で輸液を供給するように構成することができる。この場合においても、所定の時間間隔ごとに合計重量が検出されているため、不適当な輸液量が供給されることはない。
【００６８】
なお、実施の形態では、輸液の重量と、排液の重量と、これらの液体を収容する貯溜容器の重量を一体的に計測するように構成したが、貯溜容器の重量が判明している場合等には、重量計測手段において貯溜容器の重量をあらかじめ差し引いた重量を計測できるように構成することもできる。
【図面の簡単な説明】
【００６９】
【図１】本願発明の第１の実施の形態に係る輸液供給装置の概略構成を示す図である。
【図２】図１に示す輸液供給装置の制御ブロック図である。
【図３】図２に示す制御ブロック図において実行される制御のフローチャートの一例を示す図である。
【図４】本願発明の第２の実施の形態に係る輸液供給装置の概略構成を示す図である。
【図５】本願発明の第３の実施の形態に係る輸液供給装置の概略構成を示す図である。
【符号の説明】
【００７０】
３  輸液貯溜容器
４  排液貯溜容器
５  ポンプ
６  重量計測手段
７  制御手段
【図１】
2008110150.tif 000003
【図２】
2008110150.tif 000004
【図３】
2008110150.tif 000005
【図４】
2008110150.tif 000006
【図５】
2008110150.tif 000007